(57)【要約】  【課題】簡単な構造で手間を掛けることなく使用することができ、防菌防黴効果が高く、耐久性に優れた洗濯機用防菌防黴剤を安価に提供できるとともに、こうした洗濯機用防菌防黴剤による洗濯機用防菌防黴方法並びに洗濯機用防菌防黴の製造方法を提供できるようにする。【解決手段】  浸透拡散性を有するシート状基材に揮発性若しくは蒸散性を有する防菌防黴用薬液を含浸させ、該シート状基材の片面に設けられた取付け手段と、上記シート状基材をガスバリアシートで形成された気密性パックに収納し、使用にあたってはシート状基材の片面部分に設けた取付け手段で前記シート状基材を洗濯機の浴槽に対面する部分に貼着し、シート状基材から放散される防菌防黴用薬液により洗濯機内を防菌ならびに防黴する。【選択図】図１
2005287648.tif 000002
【特許請求の範囲】
【請求項１】
浸透拡散性を有するシート状基材に揮発性若しくは蒸散性を有する防菌防黴用薬液を含浸させ、該シート状基材の片面に設けられた取付け手段と、上記シート状基材をガスバリアシートで形成された気密性パックに収納したことを特徴とする洗濯機用防菌防黴剤。
【請求項２】
浸透拡散性を有するシート状基材が紙や不織布等の繊維を成分に含むシートである請求項１に記載の洗濯機用防菌防黴剤。
【請求項３】
防菌防黴用薬液が天然植物製油を主成分とする請求項１に記載の洗濯機用防菌防黴剤。
【請求項４】
取付け手段が耐水性両面テープ又は耐水性接着剤からなる請求項１に記載の洗濯機用防菌防黴剤。
【請求項５】
浸透拡散性を有するシート状基材に揮発性若しくは蒸散性を有する防菌防黴用薬液を含浸させる工程と、防菌・防黴用薬液を含浸させたシート状基材を所定の形状に切断する工程と、切断されたシート状基材の片面に取付け手段を設ける工程と、取付け手段が設けられたシート状基材をガスバリアシートで形成された気密性パックに収納する工程とを有する洗濯機用防菌防黴剤の製造方法。
【請求項６】
揮発性若しくは蒸散性を有する防菌防黴用薬液を浸透拡散性を有するシート状基材に含浸させ、シート状基材に設けられた取付け手段で前シート状基材を洗濯機の浴槽に対面する部分に貼着し、シート状基材から放散される防菌防黴用薬液により洗濯機内を防菌ならびに防黴するようにしたことを特徴とする洗濯機用防菌防黴方法。
【発明の詳細な説明】
【技術分野】
【０００１】
本発明は、洗濯機内の菌や黴の発生を抑制するとともに、発生した菌や黴を死滅除去することができる洗濯機用防菌防黴剤及びこれを用いて洗濯機の浴槽の内外を防菌防黴する方法、さらにはこうした方法に使用する洗濯機用防菌防黴剤の製造方法に関するものである。
尚、本発明に言う防菌とは菌の発生を防止すること並びに殺菌することを含み、防黴には黴の発生並びに発生した黴を死滅あるいは除去することを含む。
【背景技術】
【０００２】
洗濯機の洗濯槽、特に全自動洗濯機の洗濯槽とこれを支持するケーシングとの間は狭隘であることから手入れが行き届かず、残留する水分や洗濯汚水、付着する水垢や洗濯垢等を栄養源にして黴や雑菌が繁殖する。
こうした部分は目に触れないところであり、多量に繁殖して浴槽内に異臭が発生したり、洗濯物に黴臭や汚れが付着する等の悪影響を及ぼすようになった時点で初めて雑菌や黴の発生に気が付くことになる。
そして気が付いた時点で、例えば塩素系洗剤や過炭酸塩等からなる除菌剤や黴除去剤を直接かけて除菌や黴の除去を行なったり、殺菌剤等の薬剤を溶解した水を洗濯機の浴槽内にはって、一定時間放置する方法が採られている。
【０００３】
ところが、雑菌や黴に直接薬剤を振り掛ける前者のものでは、雑菌や黴の発生場所が狭隘な空間部分であることから充分に薬効を発揮させることができないという問題があり、薬剤を溶解した水を浴槽内にはって使用するものでは、大量の水と薬剤を必要とし高価になるとともに処理時間が長く面倒であるという問題があった。
そこでこうした問題に対処するために、洗濯機内の蓋の裏面に貼着して使用する蒸散性を有する防菌若しくは防黴用の薬剤が提案されている。
【特許文献１】特開２００３−１７１２０２号公報
【発明の開示】
【発明が解決しようとする課題】
【０００４】
ところが上記公報に記載された洗濯機用防菌防黴剤は粉体若しくは粒体状であることから、こうした洗濯機用防菌防黴剤が洗濯水で濡れると固まってしまい薬効が大幅に減少したり、なくなったりする。
そのために、洗濯機用防菌防黴剤を成形して保形した状態で通気性を確保しながら防水可能なパックに収納しなくてはならず、実用化するのが難しいという問題があった。
こうした問題を解消するために本発明は簡単な構造で手間を掛けることなく使用することができ、防菌防黴効果が高く、耐久性に優れた洗濯機用防菌防黴剤を安価に提供できるとともに、こうした洗濯機用防菌防黴剤による洗濯機用防菌防黴方法並びに洗濯機用防菌防黴の製造方法を提供できるようにすることを目的とするものである。
【課題を解決するための手段】
【０００５】
上記目的を達成する為に本発明にかかる洗濯機用防菌防黴剤は、浸透拡散性を有するシート状基材に揮発性若しくは蒸散性を有する防菌防黴用薬液を含浸させ、該シート状基材の片面若しくはシート状基材を収納した徐放性パックの片面に設けられた取付け手段と、上記シート状基材若しくはシート状基材を収納した徐放性パックをガスバリアシートで形成された気密性パックに収納したことを最も主要な特徴とするものである。
【０００６】
洗濯機用防菌防黴剤では、浸透拡散性を有するシート状基材を紙や不織布等の繊維を成分とするシートで形成したことや、防菌防黴用薬液が天然植物製油を主成分とすること、さらには取付け手段が耐水性両面テープ又は耐水性接着剤からなることも特徴とするものである。
【０００７】
次に、本発明にかかる洗濯機用防菌防黴剤の製造方法では、浸透拡散性を有するシート状基材に揮発性若しくは蒸散性を有する防菌・防黴用薬液を含浸させる工程と、防菌・防黴用薬液を含浸させたシート状基材を所定の形状に切断する工程と、切断されたシート状基材若しくはシート状基材を収納した徐放性パックの片面に取付け手段を設ける工程と、取付け手段が設けられたシート状基材をガスバリアシートで形成された気密性パックに収納する工程とを有することを最も主要な特徴とするものである。
【０００８】
さらに、本発明にかかる洗濯機用防菌防黴方法は、浸透拡散性を有するシート状基材に揮発性若しくは蒸散性を有する防菌防黴用薬液を含浸させ、該シート状基材の片面部分若しくはシート状基材を収納した徐放性パックの片面部分に設けた取付け手段で前記シート状基材若しくはシート状基材を収納した徐放性パックを洗濯機の浴槽に対面する部分に貼着し、シート状基材から放散される防菌防黴用薬液により洗濯機内を防菌ならびに防黴するようにしたことを特徴とするものである。
【発明の効果】
【０００９】
本発明によれば、浸透拡散性を有するシート状基材に揮発性若しくは蒸散性を有する防菌防黴用薬液を含浸させるようにしてあり、粉体や粒体を成形して保形した状態で通気性を確保しながら防水可能なパックに収納し、これを洗濯機に取付けるようにしたものに比べ、構造を簡単にして安価に実施することができる利点がある。
【００１０】
また、シート状基材に水滴等が付着してもシート状基材の浸透拡散性、特に不織布製シートで形成したものでは繊維の毛細管現象により全体に均一に広がり、乾燥も速く付着した水滴等により防菌防黴用薬液の蒸散が妨げられず、薬効をながく維持でき耐久性に優れ、ランニングコストを低減できる効果もある。
【発明を実施するための最良の形態】
【００１１】
以下、本発明の好ましい実施の形態を図面に基づいて説明する。
図１は、洗濯機用防菌防黴剤の構成を示す斜視図、図２は洗濯機用防菌防黴剤を縦断した側面図であって、図中符号１は洗濯機用防菌防黴剤を全体的に示す。
この洗濯機用防菌防黴剤１は防菌防黴薬液２を含浸させたシート状基材３と、これを収納するパック４とからなる。
シート状基材３は、紙や不織布等、繊維を主成分とする矩形に形成されており、上面３ａには剥離紙５で保護された取り付け用の両面テープ（取付け手段）６が設けられている。
本例では紙若しくはクッションペーパと呼ばれるもので厚みが約１mm、目付けが１m2あ
たり６００ｇのものを使用している。
【００１２】
防菌防黴薬液２を含浸させたシート状基材３を収納するパック４は、ガスバリア性を有するポリエチレンテレフタレート（ＰＥＴ）系樹脂又はアルミ箔をラミネートしたフィルム若しくはアルミ蒸着フィルムで形成することが望ましい。
この洗濯機用防菌防黴剤１の製造について説明すると、先ず、防菌防黴用薬液を含浸させる工程で、紙のように繊維を主成分とするシート状基材３に、液状にした防菌防黴剤（薬液）２を塗布若しくは浸漬により付与する。
此処で、防菌防黴薬液２としては、植物抽出物に含まれる防菌防黴作用を有する気化性防菌防黴成分、例えば、ヒノキチオールや、ユーカリ油、レモン油、ローズゼラニウム油等の精油に含有される物質やわさび成分並びに、唐辛子成分であるカプサイシン等の蒸散して防菌防黴効果を有する天然のものが望ましいが、化学的に合成されたものも使用することができそれらは単独、あるいは用途に応じて組み合わせて使用される。
斯くして液状の防菌防黴薬液２が付与されると、毛細管現象によりシートの全面に渡って略均一に広がる。
【００１３】
次に、防菌防黴薬液２が付与されたシート状基材３を所定の形状、例えば矩形や動物等のキャラクタ形状に裁断する工程で裁断された後、次の工程でこの切断されたシート状基材３の片面３ａに剥離紙５で保護された両面テープからなる取付け手段６が設けられる。  
尚、取付け手段６の上記両面テープに代えて刷毛やローラで塗布可能な接着剤にすることもできるが、いずれの場合でも両面テープ及び接着剤は洗濯機（図３参照）７に取付けられることを考慮した時、耐水性を有するとともに、有機溶剤等、プラスチックを侵食するものを含まないものが望ましい。
上記のように、取付け手段が設けられたシート状基材３は、ガスバリアシートで形成されたパックに収納する工程で気密性を有するパック４に収納されると洗濯機用防菌防黴剤１が完成する。
【００１４】
上記のようにして形成された洗濯機用防菌防黴剤１を使用する場合を次に説明する。
図３に示すようにパッ４クを開封して防菌防黴薬液２を含浸させたシート状基材３を取出す。
次に取付け手段６の剥離紙５を剥がして両面テープの接着面を露出させ、洗濯機７の蓋８の裏面にシート状基材３を貼着して蓋を閉める。
こうして洗濯機７の蓋８の裏面に貼着されたシート状基材３からは気化性防菌防黴成分が蒸散して洗濯機の内部の隅々に充満し、その防菌防黴効果が充分に発揮される。
【００１５】
また、上記のようにして使用されるシート状基材３には洗濯中の水滴や水分が付着することがあるが、こうした場合、付着した水滴や水分は毛細管現象によりシート状基材の全体に広がり、その全面から気化性防菌防黴成分とともに蒸散するので薬効が損なわれることなく、乾燥も速くなる。
【００１６】
尚、上記の例では、浸透拡散性を有するシート状基材３として繊維を主成分とする厚紙若しくはクッションペーパを例として説明してあるが、こうしたものに限られず、不織布はもとより、連続発泡のスポンジ等のように浸透拡散性を有する材質のものであれば採用することができる。
また、上記実施の形態で説明した製造工程は必ずしも説明した順序に限定されるものではなく、前後することがあるのは勿論のことである。
さらに、上記の例では、防菌防黴薬液を浸透させたシート状基材をパック４に直接収納するようにしてあるが、これをあらかじめ厚みが１０〜３０μｍでヒートシール可能な不織布製の徐放性包材７（図１の二点鎖線図参照）に入れるようにすることもできる。この場合、取付け手段６は当該徐放材７の片面に設ける。
【産業上の利用可能性】
【００１７】
本発明にかかる洗濯機用防菌防黴剤を例えば家庭用や自動車用のエアーコンディショナーの空気吸引口に取付けて使用することもできる。
こうした場合には熱交換器部分のフィンに発生する菌や黴を防止することができる利点がある。
【図面の簡単な説明】
【００１８】
【図１】洗濯機用防菌防黴剤の構成を示す斜視図である。
【図２】洗濯機用防菌防黴剤を縦断した側面図である。
【図３】使用状態の斜視図である。
【符号の説明】
【００１９】
１・・・洗濯機用防菌防黴剤
２・・・防菌防黴薬液
３・・・シート状基材
４・・・気密性パック
６・・・取付け手段
７・・・洗濯機
【図１】
2005287648.tif 000003
【図２】
2005287648.tif 000004
【図３】
2005287648.tif 000005